(57)【特許請求の範囲】
【請求項１】
ゴルフボールを打撃するフェース面を有し、前記フェース面が所定のロフト角度に形成されているゴルフクラブヘッドと、前記ゴルフクラブヘッドに取り付けられるゴルフクラブシャフトとを有するゴルフクラブであって、
前記フェース面が前記所定のロフト角度になるようにゴルフクラブヘッドを水平面に配置した際、重心を通り前記水平面に直交する垂直な直線を回転軸とする回転軸回りの慣性モーメントの大きさをＭ（ｇ・ｃｍ２）とするとき、前記慣性モーメントＭが４５００（ｇ・ｃｍ２）以上であり、
前記フェース面のロフト角度をθ（°）とし、前記フェース面のフェースセンターにおけるバルジ曲率半径をＲ（ｃｍ）としたとき、３．０≦Ｒ／θ≦４．５であり、
前記ゴルフクラブシャフトのトルクをＴ（°）としたとき、前記ゴルフクラブシャフトのトルクＴと、前記ロフト角度θとの関係は、Ｔ＝０．５７１×θ−ｂ３（０．５７≦ｂ３≦２．５７）であり、
前記ゴルフクラブシャフトのトルクＴは、前記ゴルフクラブシャフトの両端部のうち、前記ゴルフクラブヘッドに取り付けられる側の先端部について先端から長さ３０ｍｍを周方向に回転可能に保持するとともに、前記先端部の反対側の後端部を後端から長さ６０ｍｍの固定長さで固定し、前記ゴルフクラブシャフトに対して、前記先端から３０ｍｍの位置に１ｆｔ・ｌｂ（０．１３８Ｎ・ｍ）の力を作用させたときの前記ゴルフクラブシャフトの捩れ角であることを特徴とするゴルフクラブ。
【請求項２】
前記ゴルフクラブは、使用するゴルファの最適なヘッドスピードが設定されており、このヘッドスピードをｙ（ｍ／秒）としたとき、
前記ヘッドスピードｙと、前記ロフト角度θとの関係は、
ｙ＝−２．８６×θ＋ｂ１（６８≦ｂ１≦７７）
である請求項１に記載のゴルフクラブ。
【請求項３】
前記ゴルフクラブの振動数をｚ（ｃｐｍ）としたとき、
前記ゴルフクラブの振動数ｚと、前記ロフト角度θとの関係は、
ｚ＝−１０×θ＋ｂ２（３３０≦ｂ２≦３７０）
であり、
前記ゴルフクラブの振動数ｚは、前記ゴルフクラブシャフトの両端部のうち、前記ゴルフクラブヘッドに取り付けられる側の先端部を自由端とし、前記先端部の反対側の後端部を固定端として、前記先端部をゴルフクラブの長手方向に対して直交する方向に振動させることにより得られる請求項１または２に記載のゴルフクラブ。
【発明の詳細な説明】
【技術分野】
【０００１】
本発明は、ロフト角度とフェースのバルジ曲率半径を最適化したゴルフクラブヘッド、およびゴルフクラブに関し、特に、ゴルフボールを打撃する際に、フェースセンターを外す等、打撃位置がフェース面の所定の範囲から外れて打撃する場合でも、打撃されたゴルフボールの着弾位置のばらつきが小さいゴルフクラブヘッドおよびゴルフクラブに関する。
【背景技術】
【０００２】
近年、打撃性能が向上されたゴルフクラブヘッドが種々提案されている（特許文献１〜特許文献６参照）。
特許文献１には、正方体または長方体のゴルフクラブヘッドが記載されており、このゴルフクラブヘッドは、体積が４２０〜４７０ｃｍ３である。また、ゴルフクラブヘッドは、水平面に配置した際、重心を通り、この水平面に直交する垂直な直線を回転軸とする回転軸回りの第１の慣性モーメントの大きさが４０００ｇ・ｃｍ２以上であり、重心を通り水平面と平行であり、かつトウ−ヒール方向に延びる第２の直線を回転軸とする回転軸回りの第２の慣性モーメントの大きさが３０００ｇ・ｃｍ２以上である。
【０００３】
また、特許文献２には、重心よりもフェース部側の前方部分の体積が全体の体積のうち５０％以上であり、重心よりも後方側の後方部分の質量が全体の質量のうち５０％以上であるゴルフクラブヘッドが記載されている。
この特許文献２のゴルフクラブヘッドは、体積が４２０〜４７０ｃｍ３である。さらには、第１の慣性モーメントが、４０００ｇ・ｃｍ２以上であり、第２の慣性モーメントの大きさが３０００ｇ・ｃｍ２以上である。
【０００４】
また、特許文献３には、反発係数のばらつきが、０．２２６以下であるゴルフクラブヘッドが記載されている。また、この特許文献３のゴルフクラブヘッドは、フェースの幾何学的中心の反発係数と、このフェース中心から０．５インチ離れた位置の反発係数との差が０．０６５以下である。
さらに、特許文献３のゴルフクラブヘッドは、体積が４２０〜４７０ｃｍ３であり、さらには、４０００ｇ・ｃｍ２以上であり、重心を通り水平面と平行であり、かつトウ−ヒール方向に延びる第２の直線を回転軸とする回転軸回りの第２の慣性モーメントの大きさが３０００ｇ・ｃｍ２以上である。
【０００５】
また、特許文献４には、ヘッド体積が２７０ｃｃ以上、上下方向の慣性モーメントをＭ１ｇ・ｃｍ２、左右方向の慣性モーメントをＭ２ｇ・ｃｍ２、フェース面積をＨ１ｃｍ２としたときに、（Ｍ１×Ｍ２）／Ｈ１≧２２．０であるゴルフクラブヘッドが記載されている。この特許文献４のゴルフクラブヘッドは、フェース面積に対して、上下方向の慣性モーメントおよび左右方向の慣性モーメントが小さい。
【０００６】
また、特許文献５には、ヘッド体積が３５０ｃｍ３以上であり、規定のライ角、フェース角として水平面に載置した基準状態におけるヘッド重心とスイートスポット点とを結ぶ直線を含む垂直断面において、フェース面の最前端部位置からヘッド重心までの水平距離である重心深度Ａと、フェース面の上縁からヘッド最後端部位置までの水平距離であるヘッド奥行き長さＢとの比（Ａ／Ｂ）が０．１〜０．３であり、かつ基準状態においてヘッド重心を通る垂直軸回りの慣性モーメントＩｖが３５００〜６０００ｇ・ｃｍ２であり、しかも基準状態においてヘッド重心を通りかつトウ、ヒール方向にのびる水平軸回りの慣性モーメントＩｈが２０００〜４０００ｇ・ｃｍ２であるゴルフクラブヘッドが記載されている。また、この特許文献５のゴルフクラブヘッドのフェース面は、曲率半径が３３０〜５０８ｍｍのバルジを有する。
【０００７】
特許文献６には、フェースのセンターを外して打撃しても、飛距離が伸び、かつ真直ぐ飛び、更には安定感、およびボールの飛ぶ安定性が向上したゴルフクラブヘッドが記載されている。この特許文献６のゴルフクラブヘッドは、重心がフェース面から約１．７インチ以内にある。
また、特許文献６のゴルフクラブヘッドは、重心位置、ゴルフクラブヘッドの３方向の慣性モーメント、ゴルフボールの打撃位置およびゴルフボールの半径を用い、下記式にて規定されるＲＥＰ（robustness efficiency parameter）が０．４１０以下である。
【０００８】
ＲＥＰ＝（Ｉxx／（Ｉyy＋１．７（Ｉzz）））×Ｄcg／Ｒball
なお、Ｄcgはフェースの打撃位置からゴルフクラブヘッドの重心までの距離である。Ｒballはゴルフボールの半径である。
Ｉxxは、ゴルフクラブヘッドの重心を船首から船尾に通る軸の慣性モーメントである。Ｉyyは、ゴルフクラブヘッドの重心をトウ−ヒール方向に通る軸の慣性モーメントである。Ｉzzは、ゴルフクラブヘッドの重心を通る垂直軸の慣性モーメントである。
【０００９】
【特許文献１】米国特許出願公開第２００６／０１４８５８６号明細書
【特許文献２】米国特許出願公開第２００６／０１４８５８７号明細書
【特許文献３】米国特許出願公開第２００６／０１４８５８８号明細書
【特許文献４】特開２０００−１９０７１４号公報
【特許文献５】特開２００４−２６１４５１号公報
【特許文献６】米国特許出願公開第２００７／０００４５３０号明細書
【発明の開示】
【発明が解決しようとする課題】
【００１０】
しかしながら、特許文献１〜特許文献３のいずれにおいても、第１の慣性モーメントおよび第２の慣性モーメントが大きいものの、実際にゴルフボールを打撃する場合には、打ちにくく、必ずしも扱い易いものではないという問題点がある。
また、特許文献４においては、フェース面積が小さく、かつフェース面積に対して、上下方向の慣性モーメントおよび左右方向の慣性モーメントが小さいため、実際にゴルフボールを打撃する場合には、打ちにくいという問題点がある。
【００１１】
さらに、特許文献５においても、重心深度Ａをヘッド奥行き長さＢに対して規定しているものの、ゴルフクラブヘッドの重心を通るフェース面に垂直な垂線がフェース面に交わる点から水平面に至る重心高さ（符号ＦＧＨ（特許文献５の図３参照））が十分に低いものではなく、実際にゴルフボールを打撃した場合、所定の飛距離を得ることができないという問題点がある。
【００１２】
また、特許文献６においては、重心位置、ゴルフクラブヘッドの３方向の慣性モーメント、ゴルフボールの打撃位置、およびゴルフボールの半径により規定されるＲＥＰを０．４１０以下に規定するものの、実際に、ヘッドスピード別に、フェースセンターを外す等、オフセンターでゴルフボールを打撃した場合、着弾位置のバラツキが大きいという問題点がある。
【００１３】
本発明の目的は、前記従来技術の問題点を解決することにあり、ゴルフボールを打撃する際に、フェースセンターを外す等、打撃位置がフェース面の所定の範囲から外れて打撃する場合でも、打撃されたゴルフボールの着弾位置のばらつきを抑制することができるゴルフクラブヘッド、およびゴルフクラブを提供することにある。
【課題を解決するための手段】
【００１４】
上記目的を達成するために、本発明の第１の態様は、ゴルフボールを打撃するフェース面を有し、前記フェース面が所定のロフト角度に形成されているゴルフクラブヘッドであって、前記フェース面が前記所定のロフト角度になるようにゴルフクラブヘッドを水平面に配置した際、重心を通り前記水平面に直交する垂直な直線を回転軸とする回転軸回りの慣性モーメントの大きさをＭ（ｇ・ｃｍ２）とするとき、前記慣性モーメントＭが４５００（ｇ・ｃｍ２）以上であり、前記フェース面のロフト角度をθ（°）とし、前記フェース面のフェースセンターにおけるバルジ曲率半径をＲ（ｃｍ）としたとき、３．０≦Ｒ／θ≦４．５であることを特徴とするゴルフクラブヘッドを提供するものである。
【００１５】
また、本発明の第２の態様は、ゴルフボールを打撃するフェース面を有し、前記フェース面が所定のロフト角度に形成されているゴルフクラブヘッドと、前記ゴルフクラブヘッドに取り付けられるゴルフクラブシャフトとを有するゴルフクラブであって、前記フェース面が前記所定のロフト角度になるようにゴルフクラブヘッドを水平面に配置した際、重心を通り前記水平面に直交する垂直な直線を回転軸とする回転軸回りの慣性モーメントの大きさをＭ（ｇ・ｃｍ２）とするとき、前記慣性モーメントＭが４５００（ｇ・ｃｍ２）以上であり、前記フェース面のロフト角度をθ（°）とし、前記フェース面のフェースセンターにおけるバルジ曲率半径をＲ（ｃｍ）としたとき、３．０≦Ｒ／θ≦４．５であることを特徴とするゴルフクラブを提供するものである。
【００１６】
本発明においては、前記ゴルフクラブは、使用するゴルファの最適なヘッドスピードが設定されており、このヘッドスピードをｙ（ｍ／秒）としたとき、前記ヘッドスピードｙと、前記ロフト角度θとの関係は、
ｙ＝−２．８６×θ＋ｂ１（６８≦ｂ１≦７７）であることが好ましい。
【００１７】
本発明においては、前記ゴルフクラブの振動数をｚ（ｃｐｍ）としたとき、前記ゴルフクラブの振動数ｚと、前記ロフト角度θとの関係は、
ｚ＝−１０×θ＋ｂ２（３３０≦ｂ２≦３７０）であり、前記ゴルフクラブの振動数ｚは、前記ゴルフクラブシャフトの両端部のうち、前記ゴルフクラブヘッドに取り付けられる側の先端部を自由端とし、前記先端部の反対側の後端部を固定端として、前記先端部をゴルフクラブの長手方向に対して直交する方向に振動させることにより得られることが好ましい。
【００１８】
また、本発明においては、前記ゴルフクラブシャフトのトルクをＴ（°）としたとき、前記ゴルフクラブシャフトのトルクＴと、前記ロフト角度θとの関係は、
Ｔ＝０．５７１×θ−ｂ３（０．５７≦ｂ３≦２．５７）
であり、前記ゴルフクラブシャフトのトルクＴは、前記ゴルフクラブシャフトの両端部のうち、前記ゴルフクラブヘッドに取り付けられる側の先端部について先端から長さ３０ｍｍを周方向に回転可能に保持するとともに、前記先端部の反対側の後端部を後端から長さ６０ｍｍの固定長さで固定し、前記ゴルフクラブシャフトに対して、前記先端から３０ｍｍの位置に１ｆｔ・ｌｂ（０．１３８Ｎ・ｍ）の力を作用させたときの前記ゴルフクラブシャフトの捩れ角であることが好ましい。
【００１９】
また、本発明においては、ゴルフクラブヘッドの寸法は、Ｒ＆Ａ（イギリスゴルフ協会）が定めるゴルフ規則範囲内であることが好ましい。
このゴルフクラブヘッドの寸法とは、例えば、トウ−ヒール方向の寸法、およびトウ−ヒール方向と直交するフェース面からバック体に向かう方向における寸法のことである。
さらに、本発明において、例えば、ロフト角度θが８〜１５°、バルジ曲率半径Ｒが３０〜５５ｃｍ、重心深度が３．５〜６．５ｃｍ、ゴルフクラブヘッドの体積が４００〜５００ｃｍ３、ゴルフクラブヘッドの質量が１８０〜２２０ｇである。
また、本発明において、例えば、慣性モーメントＭは７０００ｇ・ｃｍ２以下である。
【発明の効果】
【００２０】
本発明の第１の態様のゴルフクラブヘッドおよび本発明の第２の態様のゴルフクラブによれば、ゴルフボールを打撃する場合、フェース面のフェースセンターを外す等の打点位置がばらついても、所定の飛距離が得られるとともに、かつ打球の着弾位置のばらつきを少なくすることができる。
【発明を実施するための最良の形態】
【００２１】
以下に、添付の図面に示す好適実施形態に基づいて、本発明のゴルフクラブを詳細に説明する。
【００２２】
図１（ａ）は、本発明の実施形態に係るゴルフクラブを示す正面図であり、（ｂ）は、本発明の実施形態に係るゴルフクラブを示す側面図である。図２は、本発明の実施形態に係るゴルフクラブを示す平面図である。図３は、本発明の実施形態に係るゴルフクラブを示す模式的断面図である。なお、図１（ｂ）、図２、および図３においては、ゴルフクラブシャフト３６の図示を省略している。
【００２３】
図１（ａ）に示すように、ゴルフクラブ１０は、ゴルフクラブヘッド２０と、ゴルフクラブシャフト３６とを有する。
本発明のゴルフクラブ１０は、例えば、ドライバーまたはフェアウェーウッドである。
ゴルフクラブヘッド２０は、フェース部２２、およびバック体２４を有する中空構造体である。このバック体２４は、ソール部２６、クラウン部２８、サイド部３０およびホーゼル部３２を有する。
【００２４】
本実施形態のゴルフクラブヘッド２０では、フェース部２２、ソール部２６、クラウン部２８およびサイド部３０は、それぞれ板材から成形されている。
バック体２４においては、フェース部２２、ソール部２６、クラウン部２８およびサイド部３０の部材が相互に接合されて外殻構造を構成している。このバック体２４においては、ソール部２６、クラウン部２８およびサイド部３０により開口部（図示せず）が形成される。この開口部にフェース部２２が、図１（ｂ）に示すように、所定のロフト角度θとなるように接合されている。
【００２５】
なお、フェース部２２の形態は、平板状でもよく、一般にカップフェースと呼ばれている形態のものでもよい。また、フェース部２２は、厚さが、２．８〜３．５ｍｍであることが好ましく、反発係数を大きくするため、または軽量化のために、厚さを薄くするものではない。
【００２６】
また、図１（ａ）に示すように、ホーゼル部３２は、ゴルフクラブシャフト３６をゴルフクラブヘッド２０に固定するものであり、クラウン部２８に設けられている。このホーゼル部３２には、ゴルフクラブシャフト３６が挿入される開口部３４が設けられている。ゴルフクラブシャフト３６は、例えば、先端部に、接着剤が塗布された状態で、開口部３４に挿入されて、ゴルフクラブヘッド２０に固定される。このゴルフクラブシャフト３６は、ゴルフクラブヘッド２０が取り付けられる先端部の反対側の端部である後端部にグリップ（図示せず）が取り付けられている。
なお、ゴルフクラブシャフト３６は、例えば、ゴルフクラブシャフト３６を挿通可能な開口部が形成されたソケットを介して、ゴルフクラブヘッド２０に固定してもよい。
【００２７】
フェース部２２は、その表面がゴルフボールを打撃するフェース面２２ａとなるものである。このフェース面２２ａのトウ側からヒール側に向かう水平方向に伸びたスコアライン（図示せず）が形成されている。
【００２８】
本実施形態のゴルフクラブヘッド２０においては、図２に示すように、バック体２４が全体的に従来のものよりも大きくトウ側のサイド領域２８ａがトウ側に張り出しており、更にフェース面２２ａに対向する反対側のバック領域２８ｂもヒール側に張り出している。このゴルフクラブヘッド２０は、従来のゴルフクラブヘッドと比較して、平面視において矩形に近い形状を呈する。
本実施形態のゴルフクラブヘッド２０においては、これらのサイド領域２８ａおよびバック領域２８ｂを張り出す構成は、重心位置および慣性モーメントを調整するための構成であり、ゴルフクラブヘッド２０に要求される重心位置および慣性モーメントに応じて、サイド領域２８ａおよびバック領域２８ｂの張出具合など、適宜形状が変更される。
本実施形態においては、バック体２４のサイド領域２８ａおよびバック領域２８ｂにおける張出具合を変えることにより、ゴルフクラブヘッド２０全体の質量バランスを容易に変えることができる。このため、ゴルフクラブヘッド２０の重心位置および慣性モーメントを容易に調整することができる。
【００２９】
また、本実施形態のゴルフクラブヘッド２０において、フェース部２２のフェース面２２ａは、フェースセンタＦｃのトウ−ヒール方向における曲率半径が３０〜５５ｃｍであることが好ましい。
ここで、フェースセンタＦｃは、図１（ａ）に示すように、トウ−ヒール方向におけるフェース面２２ａの両端部の距離を、フェース面２２ａの幅Ｗｆとし、その中心線をフェース幅Ｗｆの中心線ｍ１とする。このフェース面２２ａの幅Ｗｆにおける中心線ｍ１と、ソール２６からクラウン２８に向う方向におけるフェース面２２端部との２つの交点Ｐｃ、Ｐ１間を通り、その交点に垂直な線をフェース高さの中心線ｍ２とする（交点Ｐ１−交点Ｐｃ間の半分の位置がフェースセンタＦｃとなる。）。このとき、フェース幅の中心線ｍ１とフェース高さの中心線ｍ２との交点をフェース面２２ａの中心、すなわち、フェースセンタＦｃとする（図１（ａ）において、ＦｃＰ１＝ＦｃＰｃ）。
【００３０】
本実施形態においては、フェースセンタＦｃを通る中心線ｍ２の曲率半径が、バルジ曲率半径Ｒとなる。フェースセンタＦｃを通る中心線ｍ２の曲率半径（フェースセンタＦｃのトウ−ヒール方向における曲率半径）とは、例えば、中心線ｍ２に沿って、フェースセンタＦｃを中心とした２０ｍｍの範囲における曲率半径のことである。
しかしながら、フェースセンタＦｃを中心とする範囲は、２０ｍｍなどの局所的なものに、特に限定されるものではなく、ゴルフクラブヘッド２０全体の曲率半径でもよい。
なお、バルジ曲率半径Ｒは、中心線ｍ２における実測値に限定されるものではなく、例えば、ゴルフクラブヘッドの設計データを用いて、この設計データにおけるフェースセンタＦｃを通る中心線ｍ２から曲率半径を求めてもよい。また、ゴルフクラブヘッド２０について３次元ＣＡＤ測定を行い、ゴルフクラブヘッド２０の３次元ＣＡＤデータを作成し、この３次元ＣＡＤデータから中心線ｍ２の曲率半径を求めてもよい。
また、バルジの曲率半径Ｒ、すなわち、フェース面２２ａの中心線ｍ２の曲率半径は、単一であることが好ましいが、フェース面２２ａが複数の曲面により形成され、曲率半径が複数種あるものでもよい。
【００３１】
本実施形態のゴルフクラブヘッド２０は、例えば、体積が４００〜５００ｃｍ３、質量が１８０〜２２０ｇである。
さらには、本実施形態のゴルフクラブ１０において、ゴルフクラブヘッド２０の寸法は、Ｒ＆Ａ（イギリスゴルフ協会）が定めるゴルフ規則範囲内であることが好ましい。このゴルフクラブヘッドの寸法とは、例えば、トウ−ヒール方向の寸法、およびトウ−ヒール方向と直交するフェース面２２ａからバック体２４に向かう方向における寸法のことである。
【００３２】
また、本実施形態においては、図３に示すように、ゴルフクラブヘッド２０をフェース面２２ａが所定のロフト角度θになるように水平面Ｂ上に配置したとき、すなわち、ゴルフクラブ１０を水平面Ｂに通常のアドレスポジションに設置したとき、重心Ｇを通り水平面Ｂに直交する垂直な直線Ｖを回転軸とする回転軸回りの慣性モーメントの大きさをＭ（ｇ・ｃｍ２）とするとき、この慣性モーメントＭが４５００ｇ・ｃｍ２以上である。この慣性モーメントＭは、フェース面２２ａがトウ側またはヒール側に向きを変えて回転するときの慣性モーメントである。なお、慣性モーメントＭの上限値は７０００ｇ・ｃｍ２が好ましい。
【００３３】
本実施形態のゴルフクラブ１０（ゴルフクラブヘッド２０）においては、慣性モーメントＭを４５００ｇ・ｃｍ２以上、好ましくは、上限値を７０００ｇ・ｃｍ２とすることにより、ゴルフボールの打撃時に、ゴルフクラブヘッド２０のヒール−トウ方向におけるフェース面２２ａの回転が抑制される。このため、フェースセンタＦｃを外して打った打球の方向と、フェースセンタＦｃで打った打球の方向とのばらつきを小さくでき、ゴルフクラブ１０における打球の方向安定性が高くなる。
なお、慣性モーメントＭの測定方法については、後に詳細に説明する。
【００３４】
ここで、ゴルフクラブ１０を通常のアドレスポジションに配置するとは、ゴルフクラブヘッド２０をライ角度通りに設置し、かつ、図４に示すゴルフクラブヘッド２０のように、ゴルフクラブヘッド２０に取り付けるゴルフクラブシャフト３６のシャフト軸Ｓとリーディングエッジとが互いに平行になるように設置することをいう。
【００３５】
本実施形態においては、リーディングエッジ２３が曲線であるため、フェース面２２ａが指す方向と直角な方向を示す線Ｚにてリーディンエッジを代用する。なお、リーディングエッジ２３は、ゴルフクラブヘッド２０が最も飛球線方向に張り出している箇所である。
また、ライ角度通りに設置とは、図１（ａ）において、ソール部２６のラウンドと水平面Ｂとのなす隙間がトウ側及びヒール側にて略等しくなる状態に設置することをいう。
なお、ソール部２６のラウンドが不明瞭な場合は、フェース面２２ａに描かれるスコアラインが水平面Ｂに平行になるように設置してもよい。さらに、ソール部２６のラウンドが不明瞭でかつスコアラインが直線状でない等により水平面Ｂとの平行が判別できない場合、ライ角度は６０°である。
【００３６】
ここで、クラブ長さは、社団法人日本ゴルフ用品協会が定める測定法により測定される。測定器としては、株式会社鴨下精衡所製のクラブ・メジャーIIが挙げられる。即ち、ヒール側の端部とグリップエンドとの間の距離をクラブ長さとするのである。
アドレスポジションにおいて、リーディングエッジ２３の方向はフェース面２２ａが指す方向と直角な方向に設定される。
【００３７】
上述のようにフェース面２２ａの方向を特定し、通常のアドレスポジションを設定した状態で行うゴルフクラブヘッドの寸法測定は、昇峰企業社製の高爾夫球頭測度台、ゴルフギャレーヂ社製のゴルフクラブアングル測定器、ゴルフスミス社製のゴルフクラブゲージ等の測定器により可能である。このような測定器は公知のものであれば良く、本発明においては、特に限定されるものではない。
【００３８】
また、ロフト角度θについては、例えば、昇峰企業社製の高爾夫球頭測度台、ゴルフギャレーヂ社製のゴルフクラブアングル測定器、ゴルフスミス社製のゴルフクラブゲージ等、公知の測定器により測定される。なお、ロフト角度θの測定器は、公知のものであれば良く、本発明において、特に限定されるものではない。
【００３９】
また、本実施形態において、ゴルフクラブヘッド２０の重心深度Ｄは、３．５〜６．５ｃｍであることが好ましい。この重心深度Ｄは、フェースプログレッションＦＰと重心位置の後退量ＧＲとの合計である。
フェースプログレッションＦＰとは、ゴルフクラブヘッド２０をフェース面２２が設定されたロフト角度になるように水平面Ｂに配置したときにおける、すなわち、ゴルフクラブヘッド２０を通常のアドレスポジションに設置したときにおけるシャフト軸Ｓとフェース面２２の最先端の位置との水平面Ｂと平行な方向における距離のことである。
このフェースプログレッションＦＰは、ゴルフクラブヘッド２０をフェース面２２が設定されたロフト角度になるように水平面Ｂに配置した状態で、定規、ノギスなどを用いて、シャフト軸Ｓとフェース面２２の最先端の位置との水平面Ｂと平行な方向の距離を測定したものである。
【００４０】
重心位置の後退量ＧＲとは、ゴルフクラブヘッド２０をフェース面２２が設定されたロフト角度になるように水平面Ｂに配置したときにおける、すなわち、ゴルフクラブヘッド２０を通常のアドレスポジションに設置したときにおけるシャフト軸Ｓと重心Ｇを通る直線Ｖとの水平面Ｂと平行な方向における距離のことである。
本実施形態において、重心深度Ｄを３．５〜６．５ｃｍとすることにより、ゴルフクラブ１０のシャフト軸Ｓから重心Ｇ位置まで十分な距離が得られるとともに、スイートスポットが広くなる。これにより、打球したゴルフボールが高く上がり易くなり飛距離を得ることができるとともに、打球の方向性も高くなる。
なお、重心位置の後退量ＧＲの測定方法については、後に詳細に説明する。
【００４１】
本実施形態のゴルフクラブ１０のゴルフクラブヘッド２０は、フェース面２２のロフト角度をθ（°）とし、このフェース面２２ａのフェースセンタＦｃにおけるバルジ曲率半径をＲ（ｃｍ）との比率が、３．０≦Ｒ／θ≦４．５である。
【００４２】
ゴルフクラブヘッドにおいて、サイドスピンに影響を与える因子としては、ロフト角度、バルジ曲率半径、重心深度、および慣性モーメントである。このサイドスピンにより、打球方向がゴルファから見て右方向または左方向になる。
上記因子のうち、ロフト角度が大きい場合、一般的にフェースプログレッションＦＰが大きくなるため、サイドスピン量が増える。
バルジ曲率半径Ｒが大きい場合、フェース面が、より平面に近づくため、角度が小さくなり、サイドスピン量が減る。
重心深度Ｄが大きい場合、ギヤ効果が大きくなり、ゴルフボールにスピンが掛かりやすくなるため、サイドスピン量が増える。
慣性モーメントＭが大きい場合、ゴルフクラブヘッドがトウ方向またはヒール方向に回転しにくくなるため、サイドスピン量が減る。
【００４３】
サイドスピン量に影響を与える因子について、それぞれ調べたところ、影響が大きいものは、ロフト角度と、バルジ曲率半径との関係であった。そこで、本発明においては、バルジ曲率半径Ｒとロフト角度θとの比を３．０≦Ｒ／θ≦４．５と規定し、Ｒ／θの値が、３．０〜４．５の範囲であれば、フェースセンタＦｃで打球した場合と、フェースセンタＦｃを外して打球した場合とにおける打球の方向のバラツキを小さくすることができる。すなわち、フェース面２２ａにおけるゴルフボールの打点位置がフェースセンタＦｃから外れる等、ばらついても、所定の飛距離が得られるとともに、かつ打球の着弾位置のばらつきを少なくすることができる。
【００４４】
本発明で規定するバルジ曲率半径Ｒとロフト角度θとの比の下限値未満の範囲（Ｒ／θが３．０未満）である図５に示す領域Ｉのゴルフクラブでは、図６（ａ）に示すように、フェースセンタＦｃを外して、ヒール側でゴルフボールを打撃した場合、ヒール側に更に切れるような打球となる。また、フェースセンタＦｃを外して、トウ側でゴルフボールを打撃した場合、トウ側に更に切れるような打球となる。
本発明で規定するＲ／θが３．０未満では、フェースセンタＦｃで打球した場合と、フェースセンタＦｃを外して打球した場合とにおける打球の方向のバラツキが大きくなり、フェース面２２ａにおけるゴルフボールの打点位置がばらついた場合、打球の着弾位置のばらつきが大きい。
【００４５】
また、本発明で規定するバルジ曲率半径Ｒとロフト角度θとの比の上限値を超える範囲（Ｒ／θが４．５を超える）である図５に示す領域ＩＩのゴルフクラブでは、図６（ｂ）に示すように、フェースセンタＦｃを外して、ヒール側でゴルフボールを打撃した場合、トウ側に向う打球となる。また、フェースセンタＦｃを外して、トウ側でゴルフボールを打撃した場合、ヒール側に向う打球となる。
本発明で規定するＲ／θが４．５を超えると、フェースセンタＦｃで打球した場合と、フェースセンタＦｃを外して打球した場合とにおける打球の方向のバラツキが大きくなり、フェース面２２ａにおけるゴルフボールの打点位置がばらついた場合、打球の着弾位置のばらつきが大きい。
【００４６】
このように、本実施形態のゴルフクラブ１０（ゴルフクラブヘッド２０）においては、慣性モーメントＭを４５００ｇ・ｃｍ２以上とし、３．０≦Ｒ／θ≦４．５とすることにより、ゴルフボールの打撃する場合、フェース面２２ａにおけるゴルフボールの打点位置が、例えば、フェースセンタＦｃから３０ｍｍずれた位置等、ばらついても、所定の飛距離が得られるとともに、かつ打球の方向性が良く方向安定性が優れ、着弾位置のばらつきが小さい。
【００４７】
なお、本実施形態のゴルフクラブヘッド２０において、フェース部２２を、金属または合金により形成し、バック体２４は、複合材料により構成することが好ましい。しかし、バック体２４の構成は、複合材料により構成するものに、特に限定されるものではなく、ソール部２６およびクラウン部２８を複合材料により形成し、サイド部３０を金属または合金により形成してもよい。さらには、ソール部２６、クラウン部２８、およびサイド部３０も、金属または合金により形成してもよい。
【００４８】
本実施形態において、フェース部２２、ソール部２６、クラウン部２８、およびサイド部３０を、例えば、チタン合金により形成することができる。この場合、チタン合金としては、例えば、神戸製鋼所社製、ＫＳ１２０（商品名（組成：Ｔｉ−０．５Ｆｅ−０．３Ｏ−０．６Ｓｉ））、神戸製鋼所社製、Ｔｉ−８１１−Ｃ（組成：Ｔｉ−８Ａｌ−１Ｍｏ−１Ｖ−０．１５Ｃ）、およびＴｉ−１５Ｖ−３Ｃｒ−３Ａｌ−３Ｓｎの組成を有するチタン合金を用いることができる。
また、チタン合金としては、ＪＦＥホールディング社製、ＳＰ７００（商品名（組成：Ｔｉ−４．５Ａｌ−３Ｖ−２Ｍｏ−２Ｆｅ））を用いることができる。
さらには、チタン合金としては、大同特殊鋼社製、ＶＬＴｉ（商品名（組成：Ｔｉ−６Ａｌ−１Ｆｅ））および大同特殊鋼社製、ＣＡＴｉ（商品名（組成：Ｔｉ−３Ａｌ−１３Ｃｒ−１Ｆ））ならびに新日本製鉄社製、５１ＡＦ（商品名（組成：Ｔｉ−５Ａｌ−１Ｆｅ））を用いることができる。
【００４９】
また、バック体２４全体を構成する複合材料、ならびにソール部２６およびクラウン部２８を構成する複合材料としては、ＣＦＲＰなどの強化繊維によりマトリクス樹脂を強化されたものを用いることができる。この強化繊維としては、例えば、炭素繊維、ボロン繊維、ガラス繊維、アルミナ繊維、炭化珪素繊維、および窒化珪素繊維などの無機繊維、アラミド繊維、ポリアリレ−ト繊維、ポリエチレン繊維、およびポリエステル繊維などの有機繊維、またはチタン繊維、アモルファス繊維、およびステンレス鋼繊維などの金属繊維が例示される。また、強化繊維としては、先の例示したものの中から、複数種を選択し、それを強化繊維として用いてもよい。
また、強化繊維の配向については、所定の方向に整列して配置するか、またはクロス（織布）の状態で使用してもよい。更に、これらの強化繊維またはクロスが１または複数（層）重ねて設けられたものであっても、本発明においては、１層のＦＲＰ層とする。
【００５０】
また、マトリクス樹脂としては、エポキシ樹脂、不飽和ポリエステル樹脂、ポリウレタン樹脂、ジアリルフタレート樹脂、およびフェノール樹脂などの熱硬化性マトリクス樹脂が例示される。
【００５１】
なお、マトリクス樹脂としては、エポキシ樹脂が好ましい。このようなマトリクス樹脂としては、例えば、グリシジルエーテル系エポキシ樹脂（ビスフェノールＡ、Ｆ、Ｓ系エポキシ樹脂、ノボラック系エポキシ樹脂、臭素化ビスフェノールＡ系エポキシ樹脂）、環式脂肪族エポキシ樹脂、グリシジルエステル系エポキシ樹脂、テトラグリシジルジアミノジフェニルメタンまたはトリグリシジル−ｐ−アミノフェノールなどのグリシジルアミン系エポキシ樹脂、および複素環式エポキシ樹脂が例示される。さらに、マトリクス樹脂としては、これらの他に種々のエポキシ樹脂から選択される１種又は複数種を使用することもできる。本実施形態におけるマトリクス樹脂としては、特に、ビスフェノールＡ、Ｆ、Ｓグリシジルアミン系エポキシ樹脂が好適である。
【００５２】
また、硬化剤としては、アミン系硬化剤、例えば、ジシアンジアミド（ＤＩＣＹ）、ジアミノジフェニルスルフォン（ＤＤＳ）、ジアミノジフェニルメタン（ＤＤＭ）；酸無水物系、例えばヘキサヒドロ無水フタル酸（ＨＨＰＡ）、メチルヘキサヒドロ無水フタル酸（ＭＨＨＰＡ）などが例示される。硬化剤としては、特に、アミン系硬化剤を好適に使用することができる。
【００５３】
なお、ＦＲＰ層には、プリプレグを用いることもできる。このプリプレグとしては、例えば、東レ社製のＰ３２５１Ｓ−１５（商品名）、東レ社製のＰ２２５３Ｆ−１７（商品名）  ＵＤプリプレグ、または東レ社製のＦ６３４３Ｂ−０５Ｐ（商品名）  クロスプリプレグが例示される。
【００５４】
以下、本発明のゴルフクラブにおける重心位置の後退量ＧＲおよび慣性モーメントＭの測定方法について説明する。
まず、重心位置の後退量ＧＲの測定方法について、図７および図８を参照して、詳細に説明する。
図７は、ゴルフクラブヘッドの重心の後退量の測定に用いる測定装置を示す模式図であり、図８は、ゴルフクラブヘッドの重心の後退量の測定方法を説明するための模式図である。
【００５５】
重心位置の後退量ＧＲは、図７に示すように、支点４２を中心に矢印Ｕの方向に揺動可能なシーソー型の天秤計４０を用いて測定する。
天秤計４０には、ゴルフクラブヘッド２０のホーゼル部３２の開口部３４に対して隙間のない嵌め合いを持つシャフトピン４４が設けられており、この天秤計４０は、ゴルフクラブヘッド２０および質量体を装着しない状態では、アーム４６が水平になるように釣り合っている。
【００５６】
ゴルフクラブヘッド２０の重心位置後退量ＧＲの測定する場合、図８に示すように、シャフトピン４４に質量ＭＨのゴルフクラブヘッド２０を装着する。このとき、ゴルフクラブヘッド２０の重心Ｇを通りフェース面２２ａに直交する垂直な線Ｌが、アーム４６の長手方向に対して平行となるように装着されている。
次に、アーム４６が水平に釣り合うような質量ＭＷの質量体４５およびこの質量体４５の重心ＧＷから支点までの長さβを選択する。
【００５７】
以上より、ゴルフクラブヘッド２０の重心位置の後退量ＧＲは、釣り合いの式、ＭＨ×ＧＲ＝ＭＷ×βを用いて、ＧＲ＝（ＭＷ×β）／ＭＨに基づいて求めることができる。
以上のようにして、ゴルフクラブ１０のシャフト軸Ｓからの重心位置の後退量ＧＲを測定することができる。この重心位置の後退量ＧＲの測定には、例えば、測定器として、株式会社鴨下精衡所製の重心測定器を用いることができる。
【００５８】
次に、図９〜図１２を参照して、本実施形態のゴルフクラブヘッド２０の慣性モーメントＭの測定方法について詳細に説明する。
ここで、図９は、ゴルフクラブヘッドの慣性モーメント測定器を示す模式的斜視図である。本実施形態のゴルフクラブヘッド２０の慣性モーメントＭは、図９に示す慣性モーメント測定器により測定される。
【００５９】
慣性モーメント測定器６０は、測定部６２、演算部６４、スタートレバー６６、表示部６８、操作ボタン６９を備え、測定部６２の上に慣性モーメントの測定対象物が載置され、スタートレバー６６を手で摘んで変位させた後、手を放して捩れ振動させ、この時の捩れ振動の周期を測ることによって演算部６４を通して慣性モーメントを測定し、表示部６８に慣性モーメントの数値を表示する装置である。
なお、慣性モーメント測定器６０として、Ｉｎｅｒｔｉａ  Ｄｙｎａｍｉｃｓ社製、慣性モーメント測定器  Ｍｏｄｅｌ  ＭＯＩ−００５−０１４が例示される。このような慣性モーメント測定器は公知のものであればよく、本発明において、特に制限されない。
【００６０】
図１０（ａ）に示すように、慣性モーメント測定器６０に治具７０を固定して、治具７０の慣性モーメントＩａを測定する。
次いで、図１０（ｂ）に示すように、治具７０の上面部７２にゴルフクラブヘッド２０のソール部２６を固定して、ゴルフクラブヘッド２０および治具７０の合計の慣性モーメントＩｂを測定する。次に、得られた各慣性モーメントＩａ、Ｉｂから、（Ｉｂ−Ｉａ）よりゴルフクラブヘッド２０の慣性モーメントＭを得る。
なお、通常の慣性モーメント測定器６０では、上記Ｉａの数値は、操作ボタン６９を駆使し一連の手順によって自動的に風袋引きをされ、（Ｉｂ−Ｉａ）の数値が表示される。
【００６１】
なお、ゴルフクラブヘッド２０と治具７０とを固定するためには、例えば、両面テープ、粘土等の粘着体による固定、接着剤による固定、または磁力を用いた固定などが挙げられる。
固定は、ゴルフクラブヘッド２０のソール部２６が治具７０の上面部７２に固定される。しかしながら、ソール部２６が凸の曲面を有していれば、上面部７２は凸の曲面に合致するような凹の曲面であることが好ましく、ソール部２６が平面であれば、上面部７２は平面であることが好ましい。つまり、固定する両面が合致することが好ましい。
ゴルフクラブヘッド２０のソール部２６が曲面である場合には、粘着体（図示せず）をソール部２６及び上面部７２に合致するように設け、ゴルフクラブヘッド２０を固定する。この場合、粘着体のように接着剤などの固定手段の内質量を有するものは、治具の一部に含まれ、風袋引きにおいては治具と同様に風袋として引かれることは言うまでもない。
【００６２】
ゴルフクラブヘッド２０は、図１１（ａ）に示すゴルフクラブヘッド２０の重心Ｇを通り、水平面Ｂに直交する直線Ｖと、図１１（ｂ）に示す慣性モーメント測定器６０の捩れ振動の回転軸ｒとが、図１１（ｃ）に示すように一致もしくは概ね一致するように慣性モーメント測定器６０に固定されることが好ましい。
概ね一致とは、回転軸ｒが水平面Ｂを通る点と直線Ｖが水平面Ｂを通る点ｐとのなす距離が３ｍｍ以内、好ましくは２ｍｍ以内、より好ましくは１ｍｍ以内とすることである。
この範囲内にゴルフクラブヘッド２０のソール部２６を固定することによって、より正確にゴルフクラブヘッド２０の慣性モーメントＭを測定することが可能になる。
【００６３】
また、上記回転軸ｒが水平面Ｂを通る点と直線Ｖが水平面Ｂを通る点ｐとのなす距離を上記範囲内とする必要は必ずしもなく、この距離を知り、自動的に風袋引きをして得られた（Ｉｂ−Ｉａ）の数値からゴルフクラブヘッド２０の質量にこの距離の自乗を掛けた積を減算することによって補正することができる。
この補正方法によってゴルフクラブヘッド２０の慣性モーメントＭを得てもよい。このように、ゴルフクラブヘッド２０の慣性モーメントＭの測定方法については、特に限定されない。
【００６４】
慣性モーメント測定器６０の回転軸ｒ及びこの回転軸ｒがソール部２６を通る点は、慣性モーメント測定器６０により定められるものである。回転軸ｒは鉛直または概ね鉛直になることが好ましい。
ここで、概ね鉛直とは、鉛直方向に対する傾きが２°以内、好ましくは１°以内のことである。回転軸ｒを鉛直または概ね鉛直に設定するためには、慣性モーメント測定器６０に設けられた水準器部分を目安に測定器の水平を調整すること、又は測定器を水平に調整された平面板上に設置すること等が考えられる。
上記範囲内に設定することによって、ゴルフクラブヘッド２０の重心Ｇを通り水平面Ｂに直交する直線Ｖを第１の回転軸とする回転軸回りの慣性モーメントＭをより正確に測定することができる。
【００６５】
また、治具７０の上面部７２によって支持された平面は水平または概ね水平になることが好ましい。本発明における概ね水平とは、水平面に対する傾きが２°以内、好ましくは１°以内である。
上記範囲内に設定することによって、ゴルフクラブヘッド２０の慣性モーメントＭをより正確に測定することができる。
【００６６】
また、治具７０は、治具自体の重心位置が回転軸ｒに一致もしくは概ね一致するように慣性モーメント測定器６０に装着されることが好ましい。概ね一致とは、図１２に示すように治具７０の重心位置をＣとすると、重心位置Ｃと回転軸ｒとの距離δを２ｍｍ以内、好ましくは１ｍｍ以内とすることである。
治具７０の重心位置Ｃを上記範囲内に設定することによって、ゴルフクラブヘッド２０の慣性モーメントＭをより正確に測定することができる。
【００６７】
また、本発明のゴルフクラブにおいては、更に、使用するゴルファの最適なヘッドスピードが設定されている。ここで、ヘッドスピード毎に最適な飛距離および方向性を見出すためには、ロフト角度が重要である。また、ヘッドスピードが遅いゴルファは、ロフト角度が大きいものが適正であり、ヘッドスピードが速いゴルファは、ロフト角度が小さいものが適正である。本発明においては、ヘッドスピードｙと、ロフト角度θとの関係が、下記式で表わされる適正範囲内にある場合、所定の飛距離が得られるとともに、方向性が更に良好となり、飛距離および方向性が共により一層良好なものとなる。この場合、ゴルフクラブヘッド２０のヘッドスピードをｙ（ｍ／秒）としたとき、ヘッドスピードｙと、ロフト角度θとの関係が、ｙ＝−２．８６×θ＋ｂ１（６８≦ｂ１≦７７）であることが好ましい。
【００６８】
ゴルフクラブのヘッドスピードとは、ゴルフクラブヘッドが、ゴルフボールを打撃するインパクトの直前の長さ１０ｃｍ間を通過する速度のことである。
なお、ヘッドスピードについては、例えば、以下のようにして、測定することができる。
ヘッドスピードを測定する場合、打撃するゴルフボールの直前の位置と、このゴルフボールから１０ｃｍ離れた位置とに、それぞれ光スイッチなどの非接触式のセンサを設ける。非接触式のセンサは、センサの前を通過した場合、検出信号として、例えば、パルス信号を出力するものである。各位置のセンサは、例えば、パーソナルコンピュータに接続されている。パーソナルコンピュータは、各位置のセンサから出力されるパルス信号の時間間隔とセンサの間隔とにより、ゴルフクラブのヘッドスピードを算出する。このようにして、ヘッドスピードを測定することができる。
【００６９】
このように、ゴルフクラブ１０において、使用するゴルファに対して最適に設定されたヘッドスピードｙと、ロフト角度θとの関係が、ｙ＝−２．８６×θ＋ｂ１（６８≦ｂ１≦７７）を満たす場合、例えば、ヘッドスピードを４０、４５、５０、５５（ｍ／ｓ）と区分し、ヘッドスピードをゴルフクラブ１０に表示する。
【００７０】
また、本発明のゴルフクラブにおいては、更に、ゴルフクラブ１０の振動数をｚ（ｃｐｍ）とし、フェース面２２ａのロフト角度をθ（°）としたとき、ゴルフクラブ１０の振動数ｚと、フェース面２２ａのロフト角度θとの関係は、ｚ＝−１０×θ＋ｂ２（３３０≦ｂ２≦３７０）であることが好ましい。ゴルフクラブ１０の振動数ｚと、フェース面２２ａのロフト角度θとの関係が、ｚ＝−１０×θ＋ｂ２（３３０≦ｂ２≦３７０）を満たす場合、所定の飛距離が得られるとともに、方向性が更に良好となり、飛距離および方向性が共により一層良好なものとなる。
【００７１】
このように、ゴルフクラブ１０が、ゴルフクラブ１０の振動数ｚと、フェース面２２ａのロフト角度θとの関係が、ｚ＝−１０×θ＋ｂ２（３３０≦ｂ２≦３７０）を満たす場合、例えば、ゴルフクラブ１０の振動数ｚに応じて、ゴルフクラブシャフト３６の硬さを設定することができる。このゴルフクラブシャフト３６の硬さに応じて、ゴルフクラブ１０を使用するゴルファの適正を、ゴルフクラブ１０に表示してもよい。この場合、例えば、ゴルフクラブシャフト３６の硬さに応じて、スイングスピードの適正速度を設定してもよい。
【００７２】
ゴルフクラブ１０の振動数ｚ（ｃｐｍ）は、例えば、以下のように測定されるものである。
ゴルフクラブ１０の振動数ｚの測定方法について説明する。振動数ｚの測定には、振動数測定器が用いられる。この振動数測定器は、ゴルフクラブ１０において、グリップが取り付けられる後端部を固定するチャック部と、ゴルフクラブ１０において、ゴルフクラブヘッド２０のホーゼル部３２に取り付けられる側の先端部の振動数を、例えば、光電管などの光学センサを用いて計測する計測部とを有する。
振動数測定器を用いて振動数ｚを測定する場合、ゴルフクラブ１０の先端部を自由端とし、ゴルフクラブ１０の後端部をチャック部に固定把持し固定端とする。そして、このゴルフクラブ１０の長手方向に対して直交する方向に振動させる。このとき、ゴルフクラブ１０の先端部の１分当たりの回数を計測部にて計数する。このようにして、振動数ｚが測定される。
【００７３】
なお、振動数測定器は、市販されている公知のものであれば良く、例えば、藤倉ゴム工業株式会社製クラブ・タイミング・ハーモナイザー等が例示される。
ここで、振動数ｚの測定におけるゴルフクラブ１０の後端部の固定長さは２００ｍｍ以下であることが好ましく、７インチ（１７８ｍｍ）が一般的であるため、より好ましい。振動数ｚの測定の手順は、社団法人日本ゴルフクラブ用品協会が定めるゴルフ曲げ振動計の操作手順に準拠することが好ましい。
【００７４】
さらに、本発明のゴルフクラブにおいては、ゴルフクラブシャフト３６のトルクをＴ（°）としたとき、ゴルフクラブシャフト３６のトルクＴと、フェース面２２ａのロフト角度θとの関係は、Ｔ＝０．５７１×θ−ｂ３（０．５７≦ｂ３≦２．５７）であることが好ましい。ゴルフクラブシャフト３６のトルクＴと、フェース面２２ａのロフト角度θとの関係が、Ｔ＝０．５７１×θ−ｂ３（０．５７≦ｂ３≦２．５７）を満たす場合、所定の飛距離が得られるとともに、方向性が更に良好となり、飛距離および方向性が共により一層良好なものとなる。
【００７５】
本実施形態において、ゴルフクラブシャフト３６のトルクＴとは、以下のようにして測定されたゴルフクラブシャフト単体８４（図１３（ｂ）参照）の捩れ角により表わされるものである。
ゴルフクラブシャフト３６のトルクＴの測定に際しては、先ず、図１３（ａ）に示すゴルフクラブ１０から、グリップ８０を外し、さらにはゴルフクラブシャフト３６を、ゴルフクラブヘッド２０との接合部で切断し、ゴルフクラブシャフト単体８４（α部分）を採取する。
なお、ゴルフクラブシャフト３６がゴルフクラブヘッド２０にフェルール（ソケット）８２を介して取り付けられている場合には、フェルール８２の端部でゴルフクラブシャフト３６を切断し、ゴルフクラブシャフト単体８４（α部分）を採取する。
【００７６】
次に、図１３（ｂ）に示すように、採取したゴルフクラブシャフト単体８４に対して、このゴルフクラブシャフト単体８４（ゴルフクラブシャフト３６）の両端部のうち、ゴルフクラブヘッド２０のホーゼル部３２に取り付けられる側の先端部８５ａの端（先端）８４ａから長さ３０ｍｍを周方向に回転可能に第１の治具８６により保持する。
そして、この先端部８５ａの反対側の後端部８５ｂの端（後端）８４ｂからの固定長さを６０ｍｍとして、後端部８５ｂを第２の治具８８により固定する。このようにしてゴルフクラブシャフト単体８４（ゴルフクラブシャフト３６）を保持する。なお、ゴルフクラブシャフト単体８４（ゴルフクラブシャフト３６）の先端部８５ａは、第１の治具８６により周方向に回転可能に保持されているため、ゴルフクラブシャフト単体８４（ゴルフクラブシャフト３６）は、作用されるトルク（力）に応じて捩れることが可能である。
このようにゴルフクラブシャフト単体８４（ゴルフクラブシャフト３６）を保持した状態で、次に、ゴルフクラブシャフト単体８４（ゴルフクラブシャフト３６）の先端部８５ａに対して、先端８４ａから３０ｍｍの位置、すなわち、第１の治具８０の端面８６ａのぎりぎりの位置に１ｆｔ・ｌｂ（約０．１３８Ｎ・ｍ）の力γを作用させる。このときのゴルフクラブシャフト単体８４（ゴルフクラブシャフト３６）の捩れ角を測定する。この捩れ角によりゴルフクラブシャフト３６のトルクＴが表わされる。
なお、本実施形態において、トルクＴが大きいとは、捩れ角が大きいことであり、機械強度的には低い。
【００７７】
このように、ゴルフクラブ１０が、ゴルフクラブシャフト３６のトルクＴと、フェース面２２ａのロフト角度θとの関係が、Ｔ＝０．５７１×θ−ｂ３（０．５７≦ｂ３≦２．５７）を満たす場合、例えば、ゴルフクラブシャフト３６のトルクＴに応じて、ゴルフクラブ１０を使用するゴルファの適正を、ゴルフクラブ１０に表示してもよい。この場合、例えば、ゴルフクラブシャフト３６のトルクＴが大きい程、力の弱いゴルファ向きである。
【００７８】
以上、本発明のゴルフクラブについて説明したが、本発明は上述の実施形態に限定はされず、本発明の要旨を逸脱しない範囲において、各種の改良または変更を行ってもよいのはもちろんである。
【実施例１】
【００７９】
以下、本発明のゴルフクラブヘッドの実施例について、具体的に説明する。
本実施例においては、下記表１に示す試験例１〜２８の各ゴルフクラブについて、打球の着弾位置のバラツキ、および飛距離を評価項目として、評価試験を行った。各項目の評価結果を下記表１に示す。
【００８０】
本実施例においては、各ゴルフクラブヘッドに全て同じゴルフクラブシャフトを取り付けてゴルフクラブを作製し、評価試験を行った。
また、本実施例の各試験には、特に断りがないかぎり、ゴルフボールには、横浜ゴム社製ＴＲＸ（商品名）ボールを用いた。
なお、下記表１に示す「バルジ／ロフト」は、バルジ曲率半径／ロフト角度のことである。
【００８１】
本実施例のバラツキおよび飛距離の評価試験においては、スイングロボットに各試験例のゴルフクラブを取り付けて、ゴルフボールを打たせて、バラツキおよび飛距離を評価した。
このスイングロボットには、株式会社ミヤマエ製ショットロボ４を用いた。
評価試験の測定条件としては、下記表１に示すように、スイングロボットにおけるヘッドスピードは、４０ｍ／秒とした。
なお、バラツキを評価する場合、ゴルフクラブヘッドのフェース面のフェースセンタＦｃ（図１（ａ）参照）、フェースセンタＦｃから中心線ｍ２（図１（ａ）参照）に沿ってトウ側に３０ｍｍずれた位置、およびフェースセンタＦｃから中心線ｍ２（図１（ａ）参照）に沿ってヒール側に３０ｍｍずれた位置の合計３箇所にて、スイングロボットにゴルフボールを打たせた。
【００８２】
下記表１に示す飛距離については、各試験例のゴルフクラブについて、各１０球ずつ試打して得られた飛距離の平均値である。
本実施例においては、下記表１に示すように、ロフト角度（９°、１１°、１３°、１５°）毎に飛距離の基準となるゴルフクラブ（試験例４、１１、１８、２６）を設定した。この設定したゴルフクラブで得られた飛距離の平均値をそれぞれ１００として、ロフト角度毎に各試験例の飛距離を数値で表した。
【００８３】
また、下記表１に示す「バラツキ」は、上記３箇所で打球した際の方向安定性を評価するものであり、上記各３箇所で打球して、目標に対するゴルフボールの着弾位置のバラツキを測定し、バラツキの平均値を求め、このバラツキの平均値の逆数を用い、各試験例のバラツキを数値で表した。
なお、本実施例においては、下記表１に示すように、ロフト角度（９°、１１°、１３°、１５°）毎にバラツキの平均値の基準となるゴルフクラブ（試験例４、１１、１８、２６）を設定した。この設定したゴルフクラブで得られたバラツキの平均値をそれぞれ１００として、ロフト角度毎に各試験例のバラツキを数値で表した。
【００８４】
【表１】
0005298522.tif 000002
【００８５】
上記表１に示す試験例１〜３、試験例７〜１０、試験例１４〜１７、試験例２１〜２５は、慣性モーメント、バルジ／ロフトの値のいずれもが本発明の範囲に入るものであり、上記表１に示すようにバラツキ、および飛距離のいずれもが優れたものであった。
【００８６】
上記表１に示す試験例４、１１、１８、２６は、それぞれ、各ロフト角度（９°、１１°、１３°、１５°）のゴルフクラブにおける基準となるものである。
これらの試験例４、１１、１８、２６は、それぞれバルジ／ロフトの値が本発明の上限値を超えるものであり、上記表１に示すようにバラツキ、および飛距離のいずれもが、試験例１〜３、試験例７〜１０、試験例１４〜１７、試験例２１〜２５に比して劣るものであった。
また、上記表１に示す試験例５、１２、１９、２７は、バルジ／ロフトの値が本発明の下限値未満であり、上記表１に示すようにバラツキ、および飛距離のいずれもが劣るものであった。
さらには、上記表１に示す試験例６、１３、２０、２８は、慣性モーメントの値が本発明の下限値未満であり、上記表１に示すようにバラツキ、および飛距離のいずれもが劣るものであった。
【実施例２】
【００８７】
次に、本発明の第２実施例について説明する。
本実施例は、ヘッドスピードｙと、ロフト角度θとの関係式、ｙ＝−２．８６×θ＋ｂ１（６８≦ｂ１≦７７）の効果を確認するものである。
本実施例においては、下記表２に示す試験例２９〜５２のゴルフクラブについて、第１の実施例と同様に、バラツキおよび飛距離を評価した。このため、バラツキおよび飛距離についての評価方法についての詳細な説明は省略する。
なお、本実施例において、測定条件であるヘッドスピードは、下記表２に示すように、各試験例２９〜５２に応じて適宜変更している。
また、本実施例の試験例２９〜５２のゴルフクラブは、いずれも慣性モーメント、バルジ／ロフトの値のいずれもが本発明の範囲に入るものである。
【００８８】
本実施例においては、下記表２に示す試験例２９〜５２のゴルフクラブのバラツキおよび飛距離の評価に際して、ロフト角度が９°のもの（試験例２９〜３３）は、第１の実施例の試験例４を基準として、この試験例４のバラツキを１００とし、飛距離を１００として評価した。
また、ロフト角度が１１°のもの（試験例３４〜３９）は、第１の実施例の試験例１１を基準とし、この試験例１１のバラツキを１００とし、飛距離を１００として評価した。
また、ロフト角度が１３°のもの（試験例４０〜４５）は、第１の実施例の試験例１８を基準とし、この試験例１８のバラツキを１００とし、飛距離を１００として評価した。
また、ロフト角度が１５°のもの（試験例４６〜５２）は、第１の実施例の試験例２６を基準とし、この試験例２６のバラツキを１００とし、飛距離を１００として評価した。
【００８９】
【表２】
0005298522.tif 000003
【００９０】
上記表２に示す試験例２９〜３１、試験例３４〜３７、試験例４０〜４３、試験例４６〜５０は、慣性モーメント、バルジ／ロフトの値、ヘッドスピードとロフト角度との関係式により得られるロフト角度に対するヘッドスピードの値のいずれもが、本発明の範囲に入るものであり、上記表２に示すようにバラツキ、および飛距離のいずれもが優れたものであった。
【００９１】
一方、上記表２に示す試験例３２、３８、４４、５１は、ヘッドスピードとロフト角度との関係式により得られるロフト角度に対するヘッドスピードの値が本発明の下限値未満である。
上記表２に示すように、試験例３２、３８、４４、５１は、基準となるものよりも、バラツキおよび飛距離の評価のいずれもが良いものの、上述のように全てのパラメータが本発明の範囲に入る試験例２９〜３１、試験例３４〜３７、試験例４０〜４３および試験例４６〜５０に比してバラツキおよび飛距離のいずれもが劣るものであった。
【００９２】
また、上記表２に示す試験例３３、３９、４５、５２は、ヘッドスピードとロフト角度との関係式により得られるロフト角度に対するヘッドスピードの値が本発明の上限値を超えるものである。
上記表２に示すように、試験例３３、３９、４５、５２は、基準となるものよりも、バラツキおよび飛距離の評価のいずれもが良いものの、上述のように全てのパラメータが本発明の範囲に入る試験例２９〜３１、試験例３４〜３７、試験例４０〜４３および試験例４６〜５０に比してバラツキおよび飛距離のいずれもが劣るものであった。
【実施例３】
【００９３】
次に、本発明の第３実施例について説明する。
本実施例は、ゴルフクラブの振動数ｚと、ロフト角度θとの関係式、ｚ＝−１０×θ＋ｂ２（３３０≦ｂ２≦３７０）の効果を確認するものである。
本実施例においては、下記表３に示す試験例５３〜７６のゴルフクラブについて、第１の実施例と同様に、バラツキおよび飛距離を評価した。このため、バラツキおよび飛距離についての評価方法についての詳細な説明は省略する。
なお、評価試験の測定条件としては、下記表３に示すように、スイングロボットにおけるヘッドスピードを、３０ｍ／秒（試験例７０〜７６）、３６ｍ／秒（試験例６４〜６９）、４１ｍ／秒（試験例５８〜６３）および４７ｍ／秒（試験例５３〜５７）とした。
また、本実施例の試験例５３〜７６のゴルフクラブは、いずれも慣性モーメント、バルジ／ロフトの値のいずれもが本発明の範囲に入るものである。
【００９４】
本実施例においては、下記表３に示す試験例５３〜７６のゴルフクラブのバラツキおよび飛距離の評価に際して、ロフト角度が９°のもの（試験例５３〜５７）は、第１の実施例の試験例４を基準として、この試験例４のバラツキを１００とし、飛距離を１００として評価した。
また、ロフト角度が１１°のもの（試験例５８〜６３）は、第１の実施例の試験例１１を基準とし、この試験例１１のバラツキを１００とし、飛距離を１００として評価した。
また、ロフト角度が１３°のもの（試験例６４〜６９）は、第１の実施例の試験例１８を基準とし、この試験例１８のバラツキを１００とし、飛距離を１００として評価した。
また、ロフト角度が１５°のもの（試験例７０〜７６）は、第１の実施例の試験例２６を基準とし、この試験例２６のバラツキを１００とし、飛距離を１００として評価した。
【００９５】
【表３】
0005298522.tif 000004
【００９６】
上記表３に示す試験例５３〜５５、試験例５８〜６１、試験例６４〜６７、試験例７０〜７４は、慣性モーメント、バルジ／ロフトの値、ゴルフクラブの振動数とロフト角度との関係式により得られるロフト角度に対するゴルフクラブの振動数の値のいずれもが本発明の範囲に入るものであり、上記表３に示すようにバラツキ、および飛距離のいずれもが優れたものであった。
【００９７】
一方、上記表３に示す試験例５６、６２、６８、７５は、ゴルフクラブの振動数とロフト角度との関係式により得られるロフト角度に対するゴルフクラブの振動数の値が本発明の下限値未満である。
上記表３に示すように、試験例５６、６２、６８、７５は、基準となるものよりも、バラツキおよび飛距離の評価のいずれもが良いものの、上述のように全てのパラメータが本発明の範囲に入る試験例５３〜５５、試験例５８〜６１、試験例６４〜６７および試験例７０〜７４に比してバラツキおよび飛距離のいずれもが劣るものであった。
【００９８】
また、上記表３に示す試験例５７、６３、６９、７６は、ゴルフクラブの振動数とロフト角度との関係式により得られるロフト角度に対するゴルフクラブの振動数の値が本発明の上限値を超えるものである。
上記表３に示すように、試験例５７、６３、６９、７６は、基準となるものよりも、バラツキおよび飛距離の評価のいずれもが良いものの、上述のように全てのパラメータが本発明の範囲に入る試験例５３〜５５、試験例５８〜６１、試験例６４〜６７および試験例７０〜７４に比してバラツキおよび飛距離のいずれもが劣るものであった。
【実施例４】
【００９９】
次に、本発明の第４実施例について説明する。
本実施例は、ゴルフクラブシャフトのトルクＴと、ロフト角度θとの関係式、Ｔ＝０．５７１×θ−ｂ３（０．５７≦ｂ３≦２．５７）の効果を確認するものである。
本実施例においては、下記表４に示す試験例７７〜１００のゴルフクラブについて、第１の実施例と同様に、バラツキおよび飛距離を評価した。このため、バラツキおよび飛距離についての評価方法についての詳細な説明は省略する。
なお、評価試験の測定条件としては、下記表４に示すように、スイングロボットにおけるヘッドスピードを、３０ｍ／秒（試験例９０〜９６）、３６ｍ／秒（試験例８４〜８９）、４１ｍ／秒（試験例７８〜８３）および４７ｍ／秒（試験例７３〜７７）とした。
また、本実施例の試験例７７〜１００のゴルフクラブは、いずれも慣性モーメント、バルジ／ロフトの値のいずれもが本発明の範囲に入るものである。
【０１００】
本実施例においては、下記表４に示す試験例７７〜１００のゴルフクラブのバラツキおよび飛距離の評価に際して、ロフト角度が９°のもの（試験例７７〜８１）は、第１の実施例の試験例４を基準として、この試験例４のバラツキを１００とし、飛距離を１００として評価した。
また、ロフト角度が１１°のもの（試験例８２〜８７）は、第１の実施例の試験例１１を基準とし、この試験例１１のバラツキを１００とし、飛距離を１００として評価した。
また、ロフト角度が１３°のもの（試験例８８〜９３）は、第１の実施例の試験例１８を基準とし、この試験例１８のバラツキを１００とし、飛距離を１００として評価した。
また、ロフト角度が１５°のもの（試験例９４〜１００）は、第１の実施例の試験例２６を基準とし、この試験例２６のバラツキを１００とし、飛距離を１００として評価した。
【０１０１】
【表４】
0005298522.tif 000005
【０１０２】
上記表４に示す試験例７７〜７９、試験例８２〜８５、試験例８８〜９１、試験例９４〜９８は、慣性モーメント、バルジ／ロフトの値、ゴルフクラブシャフトのトルクとロフト角度との関係式により得られるロフト角度に対するゴルフクラブシャフトのトルクの値のいずれもが本発明の範囲に入るものであり、上記表４に示すようにバラツキ、および飛距離のいずれもが優れたものであった。
【０１０３】
一方、上記表４に示す試験例８０、８６、９２、９９は、ゴルフクラブシャフトのトルクとロフト角度との関係式により得られるロフト角度に対するゴルフクラブシャフトのトルクの値が本発明の上限値を超えるものである。
上記表４に示すように、試験例８０、８６、９２、９９は、基準となるものよりも、バラツキおよび飛距離の評価のいずれもが良いものの、上述のように全てのパラメータが本発明の範囲に入る試験例７７〜７９、試験例８２〜８５、試験例８８〜９１および試験例９４〜９８に比してバラツキおよび飛距離のいずれもが劣るものであった。
【０１０４】
また、上記表４に示す試験例８１、８７、９３、１００は、ゴルフクラブシャフトのトルクとロフト角度との関係式により得られるロフト角度に対するゴルフクラブシャフトのトルクの値が本発明の下限値未満である。
上記表４に示すように、試験例８１、８７、９３、１００は、基準となるものよりも、バラツキおよび飛距離の評価のいずれもが良いものの、上述のように全てのパラメータが本発明の範囲に入る試験例７７〜７９、試験例８２〜８５、試験例８８〜９１および試験例９４〜９８に比してバラツキおよび飛距離のいずれもが劣るものであった。
【図面の簡単な説明】
【０１０５】
【図１】（ａ）は、本発明の実施形態に係るゴルフクラブを示す正面図であり、（ｂ）は、本発明の実施形態に係るゴルフクラブを示す側面図である。
【図２】本発明の実施形態に係るゴルフクラブを示す平面図である。
【図３】本発明の実施形態に係るゴルフクラブを示す模式的断面図である。
【図４】ゴルフクラブを通常のアドレスポジションに設置する状態を説明するための模式図である。
【図５】縦軸に慣性モーメントをとり、横軸にバルジ曲率半径とロフト角度の比をとって、ゴルフクラブの慣性モーメントと、バルジ曲率半径とロフト角度の比との関係を示すグラフである。
【図６】（ａ）は、図５に示す領域Ｉのゴルフクラブの打球の方向を模式的に示す模式図であり、（ｂ）は、図５に示す領域ＩＩのゴルフクラブの打球の方向を模式的に示す模式図である。
【図７】ゴルフクラブヘッドの重心の後退量の測定に用いる測定装置を示す模式図である。
【図８】ゴルフクラブヘッドの重心の後退量の測定方法を説明するための模式図である。
【図９】ゴルフクラブヘッドの慣性モーメントを測定する慣性モーメント測定器を示す模式的斜視図である。
【図１０】（ａ）および（ｂ）は、図９に示す慣性モーメントの測定方法を工程順に示す模式図である。
【図１１】（ａ）〜（ｃ）は、慣性モーメントを測定する際におけるゴルフクラブヘッドを治具に固定する固定位置を説明するための模式図である。
【図１２】慣性モーメントを測定する際におけるゴルフクラブヘッドを治具に固定する固定位置の好ましい形態を説明するための模式図である。
【図１３】（ａ）および（ｂ）は、ゴルフクラブシャフトのトルクの測定方法を工程順に示す模式図である。
【符号の説明】
【０１０６】
１０  ゴルフクラブ
２０  ゴルフクラブヘッド
２２  フェース部
２４  バック体
２６  ソール部
２８  クラウン部
３０  サイド部
３２  ホーゼル部
４０  天秤計
５０  重心測定器
６０  慣性モーメント測定器
Ｂ  水平面
【図１】
0005298522.tif 000006
【図２】
0005298522.tif 000007
【図３】
0005298522.tif 000008
【図４】
0005298522.tif 000009
【図５】
0005298522.tif 000010
【図６】
0005298522.tif 000011
【図７】
0005298522.tif 000012
【図８】
0005298522.tif 000013
【図９】
0005298522.tif 000014
【図１０】
0005298522.tif 000015
【図１１】
0005298522.tif 000016
【図１２】
0005298522.tif 000017
【図１３】
0005298522.tif 000018